(57)【要約】【課題】  電気機器の組立構造を複雑化することなく、ブラシモータの過熱状態を検知する検知手段を備えた電気機器を提供する。【解決手段】  本発明の電気機器１は、ハウジング２、３に囲まれた内部空間に設けたブラシモータ６と、該ブラシモータ６によって駆動される駆動部４と、を有する電気機器１において、ブラシモータ６は、ハウジング２、３に取り付けたステータ１１と、ステータ１１に対して回転自在のロータ９と、ハウジング２、３に取り付けたブラシホルダ１５と、を備えたものであり、ステータ１１あるいはブラシホルダ１５は弾性を有する取付部材により挟まれてロータ９の回転方向に沿って付勢されてハウジング２、３に取り付けたものであり、取付部材の少なくとも一つを形状記憶材料からなるものとした。【選択図】      図１
2010081725.tif 000002
【特許請求の範囲】
【請求項１】
ハウジングに囲まれた内部空間に設けたブラシモータと、該ブラシモータによって駆動される駆動部と、を有する電気機器において、前記ブラシモータは、前記ハウジングに取り付けたステータと、ステータに対して回転自在のロータと、前記ハウジングに取り付けたブラシホルダと、からなるものであり、前記ステータは弾性を有する取付部材により挟まれて前記ロータの回転方向に沿って付勢されて前記ハウジングに取り付けたものであり、前記取付部材の少なくとも一つを形状記憶材料からなるものとしたことを特徴とする電気機器。
【請求項２】
ハウジングに囲まれた内部空間に設けたブラシモータと、該ブラシモータによって駆動される駆動部と、を有する電気機器において、前記ブラシモータは、前記ハウジングに取り付けたステータと、ステータに対して回転自在のロータと、前記ハウジングに取り付けたブラシホルダと、からなるものであり、前記ブラシホルダは弾性を有する取付部材により挟まれて前記ロータの回転方向に沿って付勢されてハウジングに取り付けたものであり、前記取付部材の少なくとも一つを形状記憶材料からなるものとしたことを特徴とする電気機器。
【発明の詳細な説明】
【技術分野】
【０００１】
本発明は、ブラシモータを備えた電気機器、殊にブラシモータのモータ保護技術に関するものである。
【背景技術】
【０００２】
図７のような従来のブラシモータ６’搭載の電気機器１’では、高負荷作業を行うとブラシモータ６’が発熱するものであった。そして、高負荷作業を繰り返し行うと、ブラシモータ６’の温度が上昇してしまい過熱状態となり、ハウジング２’、３’の変形やブラシモータ６’の熱破損等を起してしまう。
【０００３】
そのため、サーミスタ等の温度検知素子によりブラシモータ６’の蓄熱量を検知して、検知温度が所定温度以上となると、制御回路によりブラシモータ６’の駆動を停止するものがあった（例えば、特許文献１参照）。
【０００４】
しかしながら、温度検知素子をブラシモータ６’周辺に配置する必要があり、且つ制御回路で駆動停止の制御しているため、温度検知素子と制御回路との接続が必要であり、電気機器１’の組立構造が複雑になってしまうという問題を抱えていた。
【特許文献１】特開２００２−３５４８８６号公報
【発明の開示】
【発明が解決しようとする課題】
【０００５】
そこで、本発明は、電気機器の組立構造を複雑化することなく、ブラシモータの過熱状態を検知する検知手段を備えた電気機器を提供することを課題とする。
【課題を解決するための手段】
【０００６】
前記課題を解決するために、本発明の電気機器１は、ハウジング２、３に囲まれた内部空間に設けたブラシモータ６と、該ブラシモータ６によって駆動される駆動ブロック４と、を有する電気機器１において、前記ブラシモータ６は、前記ハウジング２、３に取り付けたステータ１１と、ステータ１１に対して回転自在のロータ９と、前記ハウジング２、３に取り付けたブラシホルダ１５と、からなるものであり、前記ステータ１１は弾性を有する取付部材１２により挟まれて前記ロータ９の回転方向に沿って付勢されて前記ハウジング２、３に取り付けたものであり、前記取付部材１２の少なくとも一つを形状記憶材料からなるものとしたことを特徴とするものである。
【０００７】
このような構成にすることで、前記ブラシモータ６が発熱して、モータブロック５の温度が上がり、取付部材１２が所定温度に加熱されると、形状記憶材料からなる取付部材１３が形状回復挙動を示して、前記ステータ１１をロータ９の回転方向に沿って回転させてブラシモータ６の位相を変調させることで、ブラシモータ６の出力トルクおよび回転数を低下させる検知手段となる。
【０００８】
また、ハウジング２、３に囲まれた内部空間に設けたブラシモータ６と、該ブラシモータ６によって駆動される駆動ブロック４と、を有する電気機器１において、前記ブラシモータ６は、前記ハウジング２、３に取り付けたステータ１１と、ステータ１１に対して回転自在のロータ９と、前記ハウジング２、３に取り付けたブラシホルダ１５と、からなるものであり、前記ブラシホルダ１５は弾性を有する取付部材１６により挟まれて前記ロータ９の回転方向に沿って付勢されてハウジング２、３に取り付けたものであり、前記取付部材１６の少なくとも一つを形状記憶材料からなるものとしたことを特徴とするものである。
【０００９】
このような構成にすることで、前記ブラシモータ６が発熱して、モータブロック５の温度が上がり、取付部材１６が所定温度に加熱されると、形状記憶材料からなる取付部材１７が形状回復挙動を示して、前記ブラシホルダ１５をロータ９の回転方向に沿って回転させてブラシモータ６の位相を変調させることで、ブラシモータ６の出力トルクおよび回転数を低下させる検知手段となる。
【発明の効果】
【００１０】
本発明は、上記のように、取付部材の少なくとも一つを形状記憶材料とするだけで、ブラシモータの出力トルクおよび回転数を低下させるため、温度検知素子や制御回路へのハーネス等を用いることなくブラシモータの過熱状態を検知することができ、且つ報知手段を用いることなく作業者に異常を伝えることができ、組立構造を簡素化することができる。
【発明を実施するための最良の形態】
【００１１】
以下、本発明の実施形態を、添付図面に基づいて説明する。
【００１２】
本発明の電気機器１は、図３および図４のように、例えば、インパクト回転工具のようなブラシモータ６搭載の電動工具である。上記電気機器１は、ブラシモータ６を備えたモータブロック５と、モータブロック５により駆動する駆動ブロック４と、駆動ブロック４を制御する制御手段と、モータブロック５および制御手段を覆うハウジング２、３と、からなるものであり、駆動ブロック４の表面と、ハウジング２、３とで電気機器１の外装を形成している。なお、本実施形態のブラシモータ６搭載の電気機器１において、図７〜９に示した従来のブラシモータ６’搭載の電気機器１’と同様の従来技術に関しては同じ符号を設けることで、説明を省略する。
【００１３】
ブラシモータ６は、ブラシおよび整流子を備えた整流部８と、ロータ９およびステータ１１を備えた界磁部７からなるものである。
【００１４】
界磁部７は、図１のように、ハウジング２、３に取り付けられた円弧形状の複数のステータ１１と、ステータ１１に対して回転軸１０の軸周りに回転するロータ９と、からなるものである。
【００１５】
そして、ステータ１１は、図８の従来例のように取付部１４’に直接取り付けるのではなく、弾性を有する取付部材１２、例えばばねにより挟まれてロータ９の回転方向に沿って付勢されてハウジング２、３の取付部１４に取り付けたものである。
【００１６】
更に、ステータ１１を挟む取付部材１２のうち、一つの取付部材１２は形状記憶材料で形成された例えば、形状記憶ばね１３であり、所定温度となると、図２のように、形状回復挙動を示して、ロータ９の回転方向に沿って伸びステータ１１を付勢する力を増して、ステータ１１をロータ９の回転方向に沿って回転させるものである。
【００１７】
ステータ１１が回転すると、ロータ９とステータ１１との位相にずれが生じて、ブラシモータ６の正転時には位相が進み逆転時には位相が遅れることとなり、モータブロック５の出力トルクおよび回転数が低下する。
【００１８】
所定温度をブラシモータ６が過熱状態となる温度と略同じにすれば、電気機器１で高負荷作業を繰り返し行ってブラシモータ６が発熱し、形状記憶ばね１３が加熱されて所定温度となると、形状回復挙動によりステータ１１が回転して、モータブロック５の出力トルクおよび回転数が低下して、電気機器１の異常を報知する。
【００１９】
したがって、温度検知素子や制御回路を用いることなく、取付部材１２の一つに形状記憶材料を用いるだけで、ブラシモータ６の過熱状態を検知して、且つ報知するモータ保護手段となる。
【００２０】
なお、取付部材１２は螺旋形状でなく弾性を有する板状でもよく、形状記憶ばね１３が形状回復挙動を示した際にステータ１１を回転可能とするものであれば、伸びずに縮むものや、複数設けてあってもよく、本願発明を実施可能とするものであれば、適宜変更可能である。
【００２１】
もちろん、ロータ９がハウジング２、３に取り付けられ、ロータ９に対してステータ１１が回転するものにおいても、ロータ９とハウジング２、３との取付箇所に、本願発明を適宜変更して用いてもよい。
【００２２】
また、整流部８のブラシは、ブラシホルダ１５に固定されており、該ブラシホルダ１５は図９の従来例のように取付部１８’に直接取り付けるのではなく、図５のように弾性を有する取付部材１６により挟まれてロータ９の回転方向に沿って付勢されてロータ９の回転方向に沿って回転可能にハウジング２、３の取付部１８に取り付けてある。
【００２３】
更に、ブラシホルダ１５を挟む取付部材１６のうち、一つの取付部材１６は形状記憶材料で形成された例えば、形状記憶ばね１７であり、所定温度となると、図６のように、形状回復挙動を示して、ロータ９の回転方向に沿って伸びブラシホルダ１５を付勢する力を増して、ブラシホルダ１５をロータ９の回転方向に沿って回転させるものである。ブラシホルダ１５が回転すると、ブラシモータ６の正転時には位相が進み逆転時には位相が遅れることとなり、モータブロック５の出力トルクおよび回転数が低下する。
【００２４】
所定温度をブラシモータ６が過熱状態となる温度と略同じにすれば、電気機器１で高負荷作業を繰り返し行ってブラシモータ６が発熱し、形状記憶ばね１７が加熱されて所定温度となると、形状回復挙動によりブラシホルダ１５が回転して、モータブロック５の出力トルクおよび回転数が低下して、電気機器１の異常を報知する。
【００２５】
したがって、温度検知素子や制御回路を用いることなく、取付部材１６の一つに形状記憶材料を用いるだけで、ブラシモータ６の過熱状態を検知して、且つ報知するモータ保護手段となる。
【００２６】
なお、取付部材１６は螺旋形状でなく弾性を有する板状でもよく、形状記憶ばね１７が形状回復挙動を示した際にブラシホルダ１５を回転可能とするものであれば、伸びずに縮むものや、複数設けてあってもよく、本願発明を実施可能とするものであれば、適宜変更可能である。
【図面の簡単な説明】
【００２７】
【図１】本発明の電気機器の界磁部の図３中のＡ−Ａ断面図である。
【図２】同上の形状回復挙動を示した状態のＡ−Ａ断面図である。
【図３】同上の電気機器の表面の側面図である。
【図４】同上のハウジングの片方を外した状態の側面図である。
【図５】同上の他の実施形態の整流部のＢ−Ｂ断面図である。
【図６】同上の形状回復挙動を示した状態のＢ−Ｂ断面図である。
【図７】従来例であり、ハウジングの片方を外した状態の側面図である。
【図８】同上の界磁部のＡ−Ａ断面図である。
【図９】同上の整流部のＢ−Ｂ断面図である。
【符号の説明】
【００２８】
１  電気機器
２  ハウジング
３  ハウジング
４  駆動部
６  ブラシモータ
９  ロータ
１１  ステータ
１５  ブラシホルダ
【図１】
2010081725.tif 000003
【図２】
2010081725.tif 000004
【図３】
2010081725.tif 000005
【図４】
2010081725.tif 000006
【図５】
2010081725.tif 000007
【図６】
2010081725.tif 000008
【図７】
2010081725.tif 000009
【図８】
2010081725.tif 000010
【図９】
2010081725.tif 000011